(57)【特許請求の範囲】
【請求項１】
冷媒回路（１）中の液閉鎖弁（４４）及びガス閉鎖弁（４６）を覆う閉鎖弁カバー（６０）を有し、上部に加湿ユニット（３）を装着することによって加湿ユニット付きの室外機（４０）を構成することが可能な室外機（５０）を備えた空気調和機において、
前記室外機は、前記加湿ユニットを装着する場合に、外気を取り入れて加湿空気を室内側に供給する前記加湿ユニットの配管（５１）を、前記加湿ユニットの底面から、前記室外機の上部空間及び前記閉鎖弁カバーが装着される側面（４１）に形成された開口（４８）を経由して前記側面の外壁まで引き出すことができるようになっており、
前記閉鎖弁カバー（６０）は、
前記液閉鎖弁（４４）及びガス閉鎖弁（４６）に接続される冷媒配管（４５，４７）及び前記加湿ユニット（３）の配管（５１）が引き出し可能な切欠部（６４）を有する引出面と、
前記加湿ユニット（３）の配管が装着可能であり、前記開口から側面の外壁まで引き出された前記加湿ユニットの配管を前記切欠部まで誘導する中空の経路が形成される突出部（６１）と、
前記突出部（６１）の内壁に設けられ、前記中空の経路を遮断する第１位置と、前記中空の経路を導通する第２位置とを採り得る開閉板（７０）とを有する、
空気調和機。
【請求項２】
前記開閉板（７０）は前記突出部（６１）の内壁と一体に形成される、請求項１に記載の空気調和機。
【請求項３】
前記開閉板（７０）は前記突出部（６１）の内壁と２箇所において連結されている、請求項２に記載の空気調和機。
【発明の詳細な説明】
【０００１】
【発明の属する技術分野】
本発明は、空気調和機、特に、冷媒の流れを制御することにより室内を冷暖房する空気調和機に関する。
【０００２】
【従来の技術】
室内機と室外機とから構成されるセパレート型の空気調和機は、比較的簡単な工事で冷風・温風が得られ、１台ごとの単独運転が可能なので広く普及している。このセパレート型の空気調和機は、圧縮機、四方切換弁、室外熱交換器、減圧器、及び室内熱交換器で構成される冷媒回路を備えている。通常、圧縮機、四方切換弁、室外熱交換器及び減圧器は室外機に設けられ、室内熱交換器は室内機に設けられ、それらは冷媒配管により接続されている。このような空気調和機では、冷媒回路の冷媒の流れを制御し、室内熱交換器及び室外熱交換器を冷媒の蒸発器または凝縮器として機能させ、室内を冷房または暖房する。
【０００３】
室外機から室内機への冷媒配管は、室外機の側面下方の外壁に設けられた液閉鎖弁及びガス閉鎖弁を介して室内機へ接続される。具体的には、低温液体の冷媒は液閉鎖弁を介して、高温気体の冷媒はガス閉鎖弁を介して、室外機と室内機との間でやり取りされる。これらの液閉鎖弁及びガス閉鎖弁を外部から保護するために室外機の側面に閉鎖弁カバーを装着して、室外機の側面全体を覆いこれらの弁を保護している。この閉鎖弁カバーは、下方部分に液閉鎖弁及びガス閉鎖弁を覆うように突起部が設けられており、その突起部に設けられる切欠部から冷媒配管が引き出される。突起部より上方の部分では室外機側面とほぼ密着するような構造になっている。
【０００４】
空気調和機には、室外機の上部に装着される加湿ユニットを備えるものがある。この加湿ユニット付きの空気調和機では、加湿ユニットから加湿空気を室内側に供給するための配管（加湿配管）を室内機と接続する必要がある。この加湿配管は、加湿ユニットから室外機の側面下方に引き出され、液閉鎖弁及びガス閉鎖弁から出る冷媒配管とともに切欠部より引き出され、室内機に接続される。この場合、上記の閉鎖弁カバーには、液閉鎖弁及びガス閉鎖弁を覆う下方部の突出部とともに、上下方向に延びる加湿配管を覆うための突出部をも形成されている。
【０００５】
【発明が解決しようとする課題】
この加湿ユニット付きの空気調和機用の閉鎖弁カバーを加湿ユニットなしの空気調和機に用いた場合には、加湿配管を覆うために設けた上下方向の突出部に加湿配管が装着されないため、室外機上部まで延びる中空の経路が生じることになる。そして、閉鎖弁カバー下部に設けられた配管を引き出すための切欠部から加湿配管用の中空の経路を通じて室外機側面上部まで昆虫等が侵入し、さらに室外機の側面上部に設けられた端子台用の開口から室外機内部に侵入するおそれがある。この場合には、昆虫等がファンに絡まってファンを傷つけるおそれがある。このため、加湿ユニット付き空気調和機と加湿ユニットなし空気調和機とでは閉鎖弁カバーの共通化が妨げられている。
【０００６】
これらの閉鎖弁カバーが共通化できないため、空気調和機のコストダウンが妨げられ、また、設置工事の際に工事者が閉鎖弁カバーを付け間違えることもある。
【０００７】
本発明の目的は、空気調和機において、室外機の閉鎖弁カバーを共通化してコストダウンを図るとともに、開閉弁カバーの装着ミスを防止することにある。
【０００８】
【課題を解決するための手段】
発明１に係る空気調和機は、冷媒回路中の液閉鎖弁及びガス閉鎖弁を覆う閉鎖弁カバーを有し、上部に加湿ユニットを装着することによって加湿ユニット付きの室外機を構成することが可能な室外機を備えている。室外機は、加湿ユニットを装着する場合に、外気を取り入れて加湿空気を室内側に供給する加湿ユニットの配管を、加湿ユニットの底面から、室外機の上部空間及び閉鎖弁カバーが装着される側面に形成された開口を経由して側面の外壁まで引き出すことができるようになっている。閉鎖弁カバーは、引出面と突出部と開閉板とを有する。引出面は、液閉鎖弁及びガス閉鎖弁に接続される冷媒配管及び外気を取り入れて加湿空気を室内側に供給する加湿ユニットの配管（加湿配管）が引き出し可能な切欠部を有する。突出部は、加湿配管が装着可能であり、開口から側面の外壁まで引き出された加湿ユニットの配管を切欠部まで誘導する中空の経路が形成されている。開閉板は、突出部の内壁に設けられ、中空の経路を遮断する第１位置と中空の経路を導通する第２位置とを採り得る。
【０００９】
この空気調和機では、閉鎖弁カバー引出面の切欠部から液閉鎖弁及びガス閉鎖弁に接続された冷媒配管が引き出される。加湿ユニットなしの空気調和機では、突出部には加湿配管は装着されず、開閉板は、中空の経路を遮断する第１位置に維持される。この場合、中空の経路は途中で開閉板により遮断されるため、昆虫がこの経路を通じて室外機に侵入するのを防止することができる。
【００１０】
一方、加湿ユニット付きの空気調和機の場合は、室外機に装着する前に予め開閉板を手で押し倒して第２位置した後に、閉鎖弁カバーを室外機に装着する。このとき、加湿配管は、開閉板に妨げられず中空の経路に沿って装着され、冷媒配管とともに切欠部から引き出される。
【００１１】
あるいは、開閉板を第１位置のままにして閉鎖弁カバーを室外機に装着してもよい。この場合、加湿配管が中空の経路に沿って装着される際に、開閉板は加湿配管により押し倒され中空の経路は導通される（第２位置）。閉鎖弁カバーが室外機に装着された状態では、中空の経路は加湿配管で塞がれることになるので、昆虫等の侵入を防止することができる。
【００１２】
この空気調和機では、加湿ユニット付き空気調和機と加湿ユニットなし空気調和機とで閉鎖弁カバーを共通化してコストダウンを図ることができる。また、開閉弁カバーが共通であるので、設置工事の際の装着ミスを防止することができる。
【００１３】
第２発明に係る空気調和機は、第１発明の空気調和機において、開閉板は突出部の内壁と一体に形成されている。この場合、開閉板を塑性変形しうる材料で形成し、加湿配管を装着する際に押し倒すかあるいは手によって第１位置から第２位置へ塑性変形させる。
【００１４】
この空気調和機でも、加湿ユニット付き空気調和機と加湿ユニットなし空気調和機とで閉鎖弁カバーを共通化してコストダウンを図ることができる。また、開閉弁カバーが共通であるので、設置工事の際の装着ミスを防止することができる。
【００１５】
さらに、開閉板を突出部の内壁に一体に形成すればよいので、製造が容易である。
第３発明に係る空気調和機は、第２発明に係る空気調和機において、開閉板は突出部の内壁と２箇所において連結されている。
【００１６】
この空気調和機でも、加湿ユニット付き空気調和機と加湿ユニットなし空気調和機とで閉鎖弁カバーを共通化してコストダウンを図ることができる。また、開閉弁カバーが共通であるので、設置工事の際の装着ミスを防止することができる。また、開閉板を突出部の内壁に一体に形成すればよいので、製造が容易である。
【００１７】
さらに、開閉板は内壁と２箇所のみで連結しているので、第１位置から第２位置への塑性変形が容易である。
発明４に係る空気調和機は、発明１の空気調和機において、突出部に支持される支持軸をさらに備え、開閉板は支持軸の回りに回動可能である。
【００１８】
この空気調和機でも、加湿ユニット付き空気調和機と加湿ユニットなし空気調和機とで閉鎖弁カバーを共通化してコストダウンを図ることができる。また、開閉弁カバーが共通であるので、設置工事の際の装着ミスを防止することができる。
【００１９】
さらに、必要に応じて開閉板を脱着可能であり、開閉板の位置を第１位置と第２位置との間で何度でも変更可能である。
【００２０】
【発明の実施の形態】
〔全体構成〕
本発明の一実施形態が採用される空気調和機の概略構成を示すブロック図を、図１に示す。この空気調和機は、冷媒回路１と、冷媒回路１を駆動するための駆動手段２と、外気を利用して加湿空気を室内側に供給する加湿ユニット３と、冷媒回路１、駆動手段２及び加湿ユニット３を制御する制御手段４とを備えている。
【００２１】
冷媒回路１の具体的な構成を図２に示す。この冷媒回路１は、圧縮機１１と、圧縮機１１の吐出側に接続された四方切換弁１２と、四方切換弁１２に接続された室外熱交換器１３と、室外熱交換器１３に接続された減圧器１４と、減圧器１４に接続された室内熱交換器１５と、アキュムレータ１６とを備えている。アキュムレータ１６は、圧縮機１１の吸引側に接続され、圧縮機１１に液状の冷媒が混入するのを防止するためのものである。圧縮機１１、四方切換弁１２、室外熱交換器１３、減圧器１４及びアキュムレータ１６が室外機に設けられており、室内熱交換器１５が室内機に設けられている。また室外機及び室内機には、室外熱交換器１３及び室内熱交換器１５に空気流を供給するためのファンが配置されている。
【００２２】
冷房運転時には、四方切換弁１２を図２の実線の位置とし、減圧器１４を所定の開度に絞り、圧縮機１１を起動する。圧縮機１１から吐出される高圧冷媒は、室外熱交換器１３で凝縮した後、減圧器１４で減圧される。減圧された低圧冷媒は、室内熱交換器１５で蒸発した後、四方切換弁１２、アキュムレータ１６を介して圧縮機１１に戻る。室内熱交換器１５で冷媒が蒸発する際に、室内空気は冷媒に熱を奪われ、この熱を奪われた室内空気が冷気として働く。
【００２３】
暖房運転時には、四方切換弁１２を図２の点線の位置とし、減圧器１４を所定の開度に絞り、圧縮機１１を起動する。圧縮機１１から吐出される高圧冷媒は、室内熱交換器１５で凝縮した後、減圧器１４によって減圧される。減圧された低圧冷媒は、室外熱交換器１３で蒸発した後、四方切換弁１２、アキュムレータ１３を介して圧縮機１１に戻る。室内熱交換器１５で冷媒が凝縮する際に、室内空気に熱を放出するため、この熱を吸収した室内空気が暖気として働く。
【００２４】
冷媒回路１を駆動する駆動手段２の構成を図３に示す。駆動手段２は、主に、Ａ／Ｄコンバータ２２とインバータ２３とを備えている。Ａ／Ｄコンバータ２２は商用の交流電源２１から供給されるＡＣ電圧を所定のＤＣ電圧に変換する。インバータ２３は、制御手段４からの信号にしたがってＤＣ電圧を所定のＡＣ電圧に変換する。このインバータ２３からの出力電圧によって、圧縮機１１のモータ２４が駆動され、冷媒の流れを形成する。
【００２５】
制御手段４は、図４に示すようなマイクロプロセッサを含む制御部３１で構成されている。制御部３１には、冷媒回路１と駆動手段２と加湿ユニット３とが接続されている。また、リモコンから送信されてくる指示を受信するための受信部３２が制御部３１に接続されている。制御部３１には、受信部３２で受信した指示に基づいて、目標温度及び目標湿度を設定する目標温度設定部３３及び目標湿度設定部３４が接続されている。これら目標温度設定部３３及び目標湿度設定部３４は、制御部３１に接続されるメモリの所定領域として設定できる。また制御部３１には、室温を検出する温度センサを有する室温検出部３５と、室内の湿度を検出する湿度センサを有する湿度検出部３６とが接続されている。
【００２６】
〔加湿ユニット付き室外機〕
図５には、本発明の一実施形態が採用される空気調和機の加湿ユニット３付きの室外機４０を示す。室外機４０には、閉鎖弁カバー６０が装着されている。閉鎖弁カバー６０を取り外した加湿ユニット３付きの室外機４０を、図６に示す。
【００２７】
室外機４０には、室外熱交換器１３と機械室４２と電装品箱４３とを主に備えている。室外熱交換器１３は、室外機４０の後面を覆うように平面視Ｌ字形に配置されており、その前方にはプロペラファン（図示せず）が配置されている。プロペラファンが室外機４０後方から前方への空気流を形成し、この空気流により室外熱交換器１３を流れる冷媒が凝縮または蒸発される。機械室４２は、プロペラファンに並ぶように配置されている。機械室４２には、圧縮機１１、四方切換弁１２、減圧器１４、アキュムレータ１６等が配置されており、室外熱交換器１３とともに冷媒回路１の一部をなす。電装品箱４３は、プロペラファン及び機械室４２の上方に配置されている。電装品箱４３には、駆動手段２や制御部３１等の電気部品が格納されている。機械室４２が配置される側の側面４１には、上部に略矩形状の開口４８を有している。また、開口４８付近には、電装品箱４３と室内機とを電気的に接続するための端子台４３ａが設けられている。側面４１の下方外壁には水抜きユニット５３（後述）が装着されている。さらに下方には、液閉鎖弁４４及びガス閉鎖弁４６が設けられている。液閉鎖弁４４及びガス閉鎖弁４６は、側面４１を貫通して機械室４２に接続されている。液閉鎖弁４４には配管４５の一端が接続されており、この他端が室内機に接続される。ガス閉鎖弁４６には配管４６の一端が接続されており、この他端が室内機に接続されている。
【００２８】
加湿ユニット３は、加湿配管５１，５２及び水抜きユニット５３を介して、外気から取り入れた水分を利用した加湿空気を室内機側に供給する。加湿配管５１は、加湿ユニット３の底面より出て室外機４０の上部空間の一部を経由して開口４８から側面４１の外壁に沿って下方に延び、側面４１の下部に配置された水抜きユニット５３に接続されている。水抜きユニット５３は、余分な水分及び配管内で結露した水分を一時貯水し、外部に排出する装置である。この水抜きユニット５３に加湿配管５２がさらに接続され、この加湿配管５２が室内機に接続されている。
【００２９】
〔閉鎖弁カバー〕
閉鎖弁カバー６０の外壁側からみた斜視図を図７に、内壁側からみた斜視図を図８にそれぞれ示す。閉鎖弁カバー６０は、図７及び図８に示すように、上下方向に延びる第１突出部６１と、第１突出部６１の下方から連続して形成される第２突起部６２と、把手部６３とを有している。
【００３０】
第１突出部６１は、図８に示すように、内壁側が平面視コ字状の上下に延びる中空の経路が形成されており、この中空経路に沿って加湿配管５１が内壁に密着するように装着される。また、第１突出部６１の内壁には加湿配管５１を上下に誘導する誘導片６５が形成されている。また、第１突出部６１の室外機４０の後方下部には切欠部６４が形成されており、ここから冷媒配管４５，４７及び加湿配管５２が外部に引き出される。さらに、第１突出部６１の内壁には上下方向のやや上方の内壁に一体に形成される開閉板７０を備えている。この開閉板７０は、後述するように、上下方向に延びる中空経路を遮断する第１位置と導通する第２位置とを採り得る。第２突起部６２は、第１突出部６１の下部に連続して形成されており、閉鎖弁カバー６０を側面４１に固定した際に、液閉鎖弁４４及びガス閉鎖弁４６を覆うように突出している。把手部６３は、閉鎖弁カバー６０を室外機４０に装着した際に、室外機４０を運搬し易くするためのものである。
【００３１】
図９は開閉板７０付近の拡大図であり、図１０は閉鎖弁カバー７０の斜視図である。また図１１は、図９のＸＩ−ＸＩ’における断面図であり、図１２は、図９のＸＩＩ−ＸＩＩ’における断面図である。
【００３２】
開閉板７０は合成樹脂等で形成され、図１０及び図１１に示すように、略矩形状に形成される。また開閉板７０は、第１突出部６１の内壁側に連結部７１を２箇所有している。これらの連結部７１は、図１０及び図１２に示すように、他の部分より薄く形成されている。
【００３３】
開閉板７０は、製造時には、図９及び図１２（ａ）に示すように、中空経路を遮断するように第１突出部６１の内壁に垂直な位置（第１位置）に形成される。加湿配管５１を装着する場合には、開閉板７０を内壁に向かって押し曲げて塑性変形させて、開閉板７０を第１突出部６１の内壁に密着させる（図１２（ｂ）参照）。このとき、中空経路は開閉板７０によって妨げられることなく上下方向に導通する。この状態で加湿配管５１を第１突出部６１の内壁に装着する。
【００３４】
本実施形態の加湿ユニット３付き室外機４０（図６）に閉鎖弁カバー６０を装着する場合には、予め開閉板７０を図１２（ｂ）のように第２位置に塑性変形させておき、開閉板７０を室外機４０に装着する（図５の状態）。このようにして、開閉板７０に妨げられることなく、閉鎖弁カバー６０を室外機に装着することができる。
【００３５】
この場合、閉鎖弁カバー６０を装着した状態（図５）では第１突出部６１の中空の経路は加湿配管５１により塞がれるため、昆虫等が切欠部６４から第１突出部６１の中空経路を通って開口４８より室外機４０に侵入することはない。
【００３６】
〔加湿ユニットなし室外機〕
図１３には、本実施形態が採用された空気調和機の加湿ユニット３なしの室外機５０を示す。室外機５０には、閉鎖弁カバー６０が装着されている。閉鎖弁カバー６０を取り外した室外機５０を、図１４に示す。
【００３７】
図１３に示すように、室外機５０には室外機４０と同じ閉鎖弁カバー６０が装着されている。また、図１４に示すように、加湿配管５１及び水抜きユニット５３を有しない点以外は、室外機５０は室外機４０の構成（図６）と同様である。
【００３８】
この室外機５０に閉鎖弁カバー６０を装着する場合には、開閉板７０を製造時の状態（図８及び図１２（ａ））としたまま、装着する。この場合、室外機５０は加湿配管５１及び水抜きユニット５３を有しないため、開閉板７０は第１位置（図１２（ａ））の状態まま、閉鎖弁カバー６０が室外機５０に装着される。
【００３９】
このような閉鎖弁カバー６０を用いれば、第１突出部６１に加湿配管５１が装着されない場合でも、図８に示すように、閉鎖弁７０により上下方向の中空の経路の途中で遮断される。このため、昆虫等が切欠部６４から第１突出部６１の中空経路を通って開口４８から室外機５０に侵入するのを防止することができる。
【００４０】
このような閉鎖弁カバー６０をによれば、室外機４０及び５０の閉鎖弁カバー６０を共通化してコストダウンを図ることができる。また、開閉弁カバー６０が共通であるので、設置の際の装着ミスを防止できる。
【００４１】
〔他の実施形態〕
（ａ）上記実施形態では、図１０及び図１１のように２箇所に連結部７１を設けたが、開閉板７０の一辺全体で第１突出部６１の内壁と連結されるようにしてもよい。この場合、開閉板７０の形成が容易である。
（ｂ）上記実施形態では、開閉板７０を第１突出部６１の内壁に一体に形成したが、別体として形成してもよい。例えば、開閉板７０に貫通孔を設け、その貫通孔を貫くシャフトを第１突出部６１の内壁に支持されるようにし、開閉板７０をシャフトを中心に回動させて第１位置と第２位置を採らせるようにしてもよい。
【００４２】
この場合は、必要に応じて開閉板７０を脱着可能である。また、上記実施形態のように塑性変形させるのではないので、開閉板７０の位置を第１位置と第２位置との間で何度でも変更可能である。
（ｃ）上記実施形態では、開閉板７０を第１位置の状態から第２位置の状態へ塑性変形させたが、第１位置の状態で製造した開閉板７０を取り外すようにしてもよい。具体的には、加湿ユニット３付き室外機４０に閉鎖弁カバー６０を装着する際に、図１２（ａ）のように第１突起部６１内壁に垂直に設けられた開閉板７０を手で折り取ってしまうようにしてもよい。この場合も、室外機４０及び５０の閉鎖弁カバー６０を共通化してコストダウンを図ることができる。また、開閉弁カバー６０が共通であるので、設置の際の装着ミスを防止できる。
【００４３】
【発明の効果】
発明１に係る空気調和機によれば、加湿ユニット付き空気調和機と加湿ユニットなし空気調和機とで閉鎖弁カバーを共通化してコストダウンを図ることができる。
【００４４】
また、開閉弁カバーが共通であるので、設置工事の際の装着ミスを防止することができる。
発明２に係る空気調和機によっても、加湿ユニット付き空気調和機と加湿ユニットなし空気調和機とで閉鎖弁カバーを共通化してコストダウンを図ることができる。
【００４５】
また、開閉弁カバーが共通であるので、設置工事の際の装着ミスを防止することができる。
さらに、開閉板を突出部の内壁に一体に形成すればよいので、製造が容易である。
【００４６】
発明３に係る空気調和機によっても、加湿ユニット付き空気調和機と加湿ユニットなし空気調和機とで閉鎖弁カバーを共通化してコストダウンを図ることができる。
【００４７】
また、開閉弁カバーが共通であるので、設置工事の際の装着ミスを防止することができる。
また、開閉板を突出部の内壁に一体に形成すればよいので、製造が容易である。
【００４８】
さらに、開閉板は内壁と２箇所のみで連結しているので、第１位置から第２位置への塑性変形が容易である。
発明４に係る空気調和機によれば、加湿ユニット付き空気調和機と加湿ユニットなし空気調和機とで閉鎖弁カバーを共通化してコストダウンを図ることができる。
【００４９】
また、開閉弁カバーが共通であるので、設置工事の際の装着ミスを防止することができる。
さらに、必要に応じて開閉板を脱着可能であり、開閉板の位置を第１位置と第２位置との間で何度でも変更可能である。
【図面の簡単な説明】
【図１】本発明の一実施形態が採用される空気調和機の概略構成を示すブロック図。
【図２】その冷媒回路の構成図。
【図３】その駆動手段。
【図４】その制御ブロック図。
【図５】加湿ユニット付き室外機。
【図６】加湿ユニット付き室外機の構成。
【図７】開閉弁カバーの外壁側からみた斜視図。
【図８】開閉弁カバーの内壁側からみた斜視図。
【図９】閉鎖弁カバーの開閉板付近での拡大図。
【図１０】開閉板の斜視図。
【図１１】図９のＸＩ−ＸＩ’での断面図。
【図１２】図９のＸＩＩ−ＸＩＩ’での断面図。
【図１３】加湿ユニットなしの室外機。
【図１４】加湿ユニットなしの室外機の構成。
【符号の説明】
１    冷媒回路中
３    加湿ユニット
４０，５０  室外機
４４  液閉鎖弁
４６  ガス閉鎖弁
４５，４７  冷媒配管
５１  加湿配管
６０  閉鎖弁カバー
６１  第１突出部
６４  切欠部
７０  開閉板
７１  連結部
【図１】
0003620432.tif 000002
【図２】
0003620432.tif 000003
【図３】
0003620432.tif 000004
【図４】
0003620432.tif 000005
【図５】
0003620432.tif 000006
【図６】
0003620432.tif 000007
【図７】
0003620432.tif 000008
【図８】
0003620432.tif 000009
【図９】
0003620432.tif 000010
【図１０】
0003620432.tif 000011
【図１１】
0003620432.tif 000012
【図１２】
0003620432.tif 000013
【図１３】
0003620432.tif 000014
【図１４】
0003620432.tif 000015